(57)【特許請求の範囲】
【請求項１】
リール脚が載置されるリール脚載置部の前後の少なくとも一方に前記リール脚載置部の外径よりも小径の雄ネジ部に螺合して軸方向に移動する移動フードを配設したリール脚固定装置であって、
前記リール脚載置部を軟質部材で形成すると共に、その端部に、前記移動フードにリール脚が挿入固定された際、リール脚の端部が載置されるように硬質部材を設け、
前記硬質部材に、前記移動フードが螺進した際に当て付く受け部を形成したことを特徴とするリール脚固定装置。
【請求項２】
前記硬質部材は、リール脚を固定した際にフード内に位置するように配設されていることを特徴とする請求項１に記載のリール脚固定装置。
【発明の詳細な説明】
【０００１】
【発明の属する技術分野】
本発明は、釣竿に設けられ、魚釣用リールを装着するのに用いられるリール脚固定装置に関する。
【０００２】
【従来の技術】
通常、魚釣用リールが装着される釣竿には、リール脚を移動フードと固定フードとの間で固定、保持するリール脚固定装置が設けられており、このようなリール脚固定装置として、例えば、特開平１０−２３４２７５号に開示されている構成が知られている。
【０００３】
この公報に開示されているリール脚固定装置は、握持性の向上を図るべく、リール脚が載置される部分をコルク部材等の軟質部材で形成すると共に、移動フードを進退させる締付けナット（雌ネジ）が螺合する雄ネジの外径を、リール脚載置部の外径よりも小径としており、これにより移動フード部分における外周をリール脚載置部分の外周と略面一状にして、握持性を向上させている。
【０００４】
【発明が解決しようとする課題】
しかし、上記した構成によれば、リール脚が載置される部分の材質や、雄ネジの外径を小径化したことによって握持性の向上は図れるものの、リール脚全体が軟質部材上に載置されるために、竿管からの魚信や竿の曲がり等が吸収されてしまい、直接握った手に伝わり難く釣り上げチャンスを逸したり、さらには、リール脚を固定する際、その軟質部材によってリール脚が沈み込んでリールが確実に固定できない、という問題が生じる。
【０００５】
また、移動フードは、通常、合成樹脂や金属等の硬質部材で形成されていることから、リール脚を載置しない状態で移動フードを螺進させた場合、硬質の移動フードが軟質部材に当接し、軟質のリール脚載置部分が傷ついたり、破損する、という問題も生じる。
【０００６】
本発明は、上記した問題に基づいてなされたものであり、握持性の向上が図れると共に、竿管からの感度を良好にし、確実にリール脚が固定できるリール脚固定装置を提供することを目的とする。
また、本発明は、握持性の向上が図れると共に、軟質部材で形成されるリール脚載置部分が傷ついたり、破損することの無いリール脚固定装置を提供することを目的とする。
【０００７】
【課題を解決するための手段】
上記した課題を解決するために、本発明のリール脚固定装置は、リール脚が載置されるリール脚載置部の前後の少なくとも一方に前記リール脚載置部の外径よりも小径の雄ネジ部に螺合して軸方向に移動する移動フードを配設した構成となっており、前記リール脚載置部を軟質部材で形成すると共に、その端部に、前記移動フードにリール脚が挿入固定された際、リール脚の端部が載置されるように硬質部材を設け、前記硬質部材に、前記移動フードが螺進した際に当て付く受け部を形成したことを特徴としている。
【０００８】
上記した構成によれば、移動フードを進退させるための雄ネジ部を、リール脚載置部の外径よりも小さくしたことで、移動フード部分をリール脚載置部の外径と略同一にすることが可能となって、段差を解消して握持性の向上が図れるようになる。また、リール脚を移動フードと固定フードとの間に固定した際、これらフードの締付け力によって圧接力が加わるリール脚の端部は、硬質部材上に位置するため、リールの固定、保持が強固になると共に、竿管からの魚信、竿管の曲がり等を検知し易くなる。
【０００９】
【発明の実施の形態】
図１〜図７は、本発明に係るリール脚固定装置の一実施形態を示す図であり、図１は、釣竿に装着された状態を示す側面図、図２は、縦断面図、図３は、図２のＡ−Ａ線に沿った断面図、図４は、図２のＢ−Ｂ線に沿った断面図、図５は、図２のＣ−Ｃ線に沿った断面図、図６は、移動フード部分を取り除いて示す平面図、そして、図７は、移動フードを締付けた状態を示す縦断面図である。
【００１０】
釣竿を構成する竿管１は、例えば、強化繊維に合成樹脂を含浸させたプリプレグシートを管状に成形することで構成されており、その基端側には、魚釣用リールのリール脚１００を装着するリール脚固定装置５が設けられている。
【００１１】
リール脚固定装置５は、リール脚１００が載置される平坦状のリール脚載置面６ａを有するリール脚載置部６を備えており、握り性が向上するように、コルク材、発泡性材等の軟質部材によって形成されている。本実施形態では、リール脚載置部６は、図４に示すように、竿管１を囲繞するように形成されており、このようなリール脚載置部は、例えば、竿管１に対して軟質性のある材料を射出成形したり、筒状に成形したリール脚載置部を竿管１に圧入することで形成することが可能である。
【００１２】
リール脚載置部６の前後には、夫々前方グリップ１０及び後方グリップ５０が配設されており、本実施形態では、各グリップに、リール脚を保持、固定するためのフードが設けられている。これらのフードは、少なくとも一方が移動フード（両方が移動フードであっても良い）で、その移動フードはリール脚載置部に対して接近、離反するように構成されている。本実施形態の場合、前方グリップ１０が竿管に対して軸方向に移動可能に構成されると共に移動フード１１を備え、後方グリップ５０が竿管に対して固着されて固定フード５１を備えた構成となっている。
【００１３】
各グリップ１０，５０は、握持性を高めるために、例えば、コルク材、発泡性材等の柔軟な材料で形成することが望ましく、各フード１１，５１は、金属、合成樹脂等の硬質材料によって形成されている。なお、各フード１１，５１は、図３及び図５に示すように管状に成形されており、後述する平坦状に形成されたリール脚載置面２０ａとの間でリール脚１００が挿入される部分を規定している。
【００１４】
前記固定フード５１は、その外周が後方グリップ５０の外周と略面一になるように後方グリップの前端部に取着されており、これらは、リール脚載置部６の外周とも略面一状になるように構成されて、全体として段差を無くして握持性の向上を図っている。また、前記移動フード１１は、その外周が前方グリップ１０の外周と略面一になるように前方グリップの後端部に取着されている。この場合、移動フード１１の外周には、外観の向上を図るように、金属管１１ａが装着されている。
【００１５】
リール脚載置部６の前方の竿管には、合成樹脂、金属等の硬質材料によって成形された雄ネジ部１３が固着されている。この雄ネジ部１３には、前方グリップ１０の内部に取着され、同様な硬質材料によって成形されたナット（雌ネジ部）１５が螺合しており、前方グリップ１０を回動操作することで、移動フード１１と共に軸方向に進退自在となっている。なお、移動フード１１は、回転防止機構を介して雌ネジ部１５が回転しても一体回転しないように雌ネジ部１５と係合しており、前方グリップ１０を回転操作した際、回転することなく軸方向のみに進退するようになっている。
【００１６】
前記雄ネジ部１３は、その外径ｂが、図６に示すように、リール脚載置部６の外径ａよりも小径となるように形成されている（ａ＞ｂ）。すなわち、雄ネジ部１３の外径をリール脚載置部６の外径よりも小さくすることで、そこに螺合される前方グリップ１０を、リール脚載置部６の外周と略面一となるように形成することが可能となる。また、雄ネジ部１３を小径化することで、その分、軽量化が図れ、操作性の向上も図れる。
【００１７】
さらに、雄ネジ部１３の外径をリール脚載置部６の外径よりも小さくすることで、上記のように略面一状になった前方グリップ１０と移動フード１１を、リール脚載置部６の外周に対しても略面一状にすることが可能となり、全体として段差を無くして握持性の向上が図れるようになる。また、リール脚載置部６を握持し易い大径に形成しても、フード部は大径化せず、全体として小径のリール脚固定装置となる。なお、図に示す構成では、移動フード１１と前方グリップ１０との間には、樹脂管１７が取着されて移動フードと前方グリップとの間で生じる段差を無くしている。
【００１８】
前記リール脚載置部６の両端には、図３乃至図５に示すように、断面形状がリール脚載置部６と同様な硬質部材２０が設けられている。この硬質部材２０は、リール脚載置部６と同様、リール脚載置面２０ａを備えており、図２に示すように、リール脚１００が移動フード１１及び固定フード５１に挿入固定された際、リール脚の両端部が載置されるような位置に設けられている。
【００１９】
このような硬質部材２０をリール脚載置部６の両端に設けておくことで、軟質部材で構成されているリール脚載置面６ａ上に固定されたリールが沈み込まなくなり、リール脚を確実に固定、保持できるようになる。すなわち、リール脚１００の両端部は、各フード１１，５１によって、竿管に向けて圧接力が最も作用する部分であるため、ここに硬質部材２０を配設しておくことで、その固定を強固にすることができる。また、硬質部材２０を介在させることで、竿管１からの魚信、竿の曲がり等を直接握った手に伝え易くなる。なお、このような硬質部材２０は、リール脚載置部の少なくとも一方に設けておいても効果的である。
【００２０】
上記した硬質部材２０は、例えば、金属、樹脂を含浸した強化木、合成樹脂等で形成することができ、上記した作用効果が得られるように、固定状態にあるリール脚１００の両端から４〜２０ｍｍ程度をカバーできる位置に設けておけば良い。また、硬質部材２０は、竿管全てを囲繞することなく、リール脚１００が載置される側のみに設けた構成であっても良い。
【００２１】
さらに、上記した構成において、移動フード側の硬質部材２０に、移動フード１１が螺進した際に、移動フードのいずれかの部分が当て付くように、受け部を形成しておくことが好ましい。すなわち、上述したように、リール脚載置部６は軟質部材で形成されているため、ここに硬質部材で形成された移動フード１１が当て付くと、リール脚載置部に傷がついたり、破損することが生じる。
【００２２】
このため、硬質部材２０に、受け部を形成しておくことで、そのような傷や破損を効果的に防止することが可能になる。
【００２３】
本実施形態では、硬質部材２０を、リール脚載置部６よりも小径で、かつ雄ネジ部１３よりも大径となるように形成することで受け部を構成している。すなわち、硬質部材をこのような大きさに形成することで、硬質部材２０の前端面２０ｂを受け部とすることができ、前方グリップ１０を螺進させた場合、移動フード１１の内部１１ｂを受け部（前端面）２０ｂに当て付けてリール脚載置部６の損傷等を防止することが可能となる（図２、図７参照）。
【００２４】
また、上記した構成では、硬質部材２０を、リール脚を固定した際に、各フード１１，５１内に位置するように配設している。このような位置に配設しておくことで、硬質部材２０は外部に露出しないため、外観の向上が図れる。
【００２５】
【発明の効果】
本発明によれば、移動フードが螺合する雄ネジ部をリール脚載置部の外径よりも小さくしたことで、移動フード部分を、軟質部材で形成されたリール脚載置部の外径と略同一にすることが可能となり、その握持性の向上が図れる。また、リール脚の端部は、硬質部材上に位置して固定されるため、リールの固定が強固になると共に、竿管からの魚信、竿管の曲がり等を検知し易くなる。
【図面の簡単な説明】
【図１】本発明に係るリール脚固定装置の一実施形態を示す図であり、釣竿に装着された状態を示す側面図。
【図２】図１に示したリール脚固定装置の縦断面図。
【図３】図２のＡ−Ａ線に沿った断面図。
【図４】図２のＢ−Ｂ線に沿った断面図。
【図５】図２のＣ−Ｃ線に沿った断面図。
【図６】図１に示したリール脚固定装置の移動フード部分を取り除いて示す平面図。
【図７】図１に示したリール脚固定装置の移動フードを締付けた状態を示す縦断面図。
【符号の説明】
１  竿管
５  リール脚固定装置
６  リール脚載置部
６ａ  リール脚載置面
１１  移動フード
１３  雄ネジ部
２０  硬質部材
２０ａ  リール脚載置面
２０ｂ  受け部
１００  リール脚
【図１】
0004371392.tif 000002
【図２】
0004371392.tif 000003
【図３】
0004371392.tif 000004
【図４】
0004371392.tif 000005
【図５】
0004371392.tif 000006
【図６】
0004371392.tif 000007
【図７】
0004371392.tif 000008